(57)【要約】【課題】自動販売機の一時的な停電や各種のトラブルに対して、信頼性を向上できながら、不正な販売情報に書き換えられることを防止できる自動販売機を提供する。【解決手段】入力設定装置５の記憶部６に記憶された販売情報を主制御部１０の記憶部１１に複写してバックアップ可能に構成した自動販売機において、個体判別用情報を生成するとともにこの個体判別用情報を主制御部１０と入力設定装置５の記憶部１１、６とに記憶させ、これらの個体判別用情報同士が異なるかどうかを判定し、異なった場合に、入力設定装置５の記憶部６の販売情報を主制御部１０の記憶部１１へ複写することを禁止する。これにより、他の入力設定装置５が自動販売機に装着された場合でも、自動販売機の売上金を回収する係員などが自動販売機の主制御部１０の販売情報を意図的に変更することが不可能となり、売上金を個人的に取り込んでごまかすことができなくなる。【選択図】図１
2009053776.tif 000002
【特許請求の範囲】
【請求項１】
自動販売機全体を制御するとともに記憶部を有する主制御部と、表示部と複数の入力キーと記憶部とを有する入力設定装置とを備え、主制御部の記憶部と入力設定装置の記憶部とのそれぞれに、販売情報を格納する販売情報格納領域が設けられ、一方の記憶部に記憶された販売情報を他方の記憶部に複写してバックアップ可能に構成した自動販売機であって、
個体判別用情報を生成するとともにこの個体判別用情報を主制御部の記憶部と入力設定装置の記憶部とに記憶させる個体判別用情報生成記憶手段と、
主制御部の記憶部に格納された個体判別用情報と入力設定装置の記憶部に格納された個体判別用情報とが異なるかどうかを判定し、個体判別用情報が異なった場合に、一方の記憶部の販売情報を他方の記憶部へ複写することを禁止する判定制御手段とを有することを特徴とする自動販売機。
【請求項２】
主制御部と入力設定装置との個体判別用情報が異なっていた場合に、警告情報を出力するよう構成したことを特徴とする請求項１記載の自動販売機。
【請求項３】
自動販売機の電源がＯＦＦ状態からＯＮ状態に切り換えられた際に、入力設定装置の記憶部に格納した個体判別用情報と主制御部の記憶部に格納した個体判別用情報との両方が初期化状態であった場合に、個体判別用情報を新たに生成して、この個体判別用情報を、主制御部の記憶部と入力設定装置の記憶部とに記憶させることを特徴とする請求項１または２に記載の自動販売機。
【請求項４】
個体判別用情報の少なくとも一部を、現在時刻情報、または、自動販売機に設けられたマイクロコンピュータ内部のカウンタ情報に基づいて作成することを特徴とする請求項３に記載の自動販売機。
【発明の詳細な説明】
【技術分野】
【０００１】
本発明は自動販売機に関し、特に、表示部と複数の入力キーとを有する入力設定装置を備え、この入力設定装置に販売商品数などの販売情報を記憶できるように構成した自動販売機に関する。
【背景技術】
【０００２】
自動販売機においては、販売した商品の数を計数するカウンタ、いわゆる販売数カウンタを備えたものが既にある。従来、この種の販売数カウンタは、電磁石を用いて計数する電磁カウンタや、液晶表示部を備えた電子カウンタなどが、個別に設けられていた。しかし、このような電磁カウンタや電子カウンタなどを個別に設けると製造コストの増加を招いてしまう。
【０００３】
一般に自動販売機では、表示部と複数の入力キーとを有するデータ設定用の入力設定装置（いわゆるキーボード）を備えているので、この入力設定装置に、前記販売数カウンタの機能を持たせて、入力設定装置の表示部に、販売数を表示可能に構成している場合が多い。すなわち、入力設定装置に対して所定のキー入力操作を行うことで、販売数を表示部に表示させる、いわゆる販売数カウンタモードを有して、販売数カウンタ機能を兼用化させている。これにより、従来のような電磁カウンタや電子カウンタなどを個別に設けなくて済むので、製造コストを抑えることができる。
【０００４】
なお、表示部と複数の入力キーとを有する入力設定装置（いわゆるキーボード）を備え、入力設定装置において、販売した商品の数を計数するカウンタ機能や販売額記憶機能を有するように構成した自動販売機が、例えば特許文献１などに開示されている。
【０００５】
ところで、自動販売機には、自動販売機全体の制御を統括的に行う主制御部が備えられており、この主制御部に設けられた記憶部には、販売商品数などの販売情報を含めた各種情報が記憶されている。しかし、主制御部は、自動販売機全体の極めて多種類の各種制御を行っているので、いろいろな原因によってトラブルを生じる可能性がある。このような不具合を防止すべく、主制御部においてトラブルを生じた場合でも、前記販売情報等が良好に保存されるよう、前記販売情報を前記入力設定装置に設けられた記憶部などにバックアップして保存することが既に行われている。
【０００６】
なお、バックアップ用の記憶部として用いられる入力設定装置の記憶部として、通電しなくても（すなわち、停電等があっても）記憶情報が保持されるフラッシュメモリやＥＥＰＲＯＭなどの不揮発性メモリを用いることで信頼性を向上させることができる。また、入力設定装置は、入力設定機能だけを備えていれば済むので、主制御部と比較すると、自動販売機においてトラブルを生じた場合でも、このトラブルが入力設定装置に対して悪影響を受ける可能性が低く、これらの要因から、販売情報を保持するバックアップ用の記憶部として入力設定装置を用いることが好ましい。
【０００７】
自動販売機の電源をＯＦＦ状態からＯＮ状態に切り換える都度、入力設定装置の記憶部に記憶されていたバックアップ用の販売情報を、主制御部の記憶部に複写し直し、これにより、できるだけ正確な情報を主制御部の記憶部に保持できるよう図ることができる。なお、前記入力設定装置は、製造時の組付作業において便利なように、コネクタ等を介して接続されて自動販売機に組み付けられており、入力設定装置のみを交換することも可能である。
【特許文献１】特開２００７−１４０５９２号公報
【発明の開示】
【発明が解決しようとする課題】
【０００８】
しかしながら、上記のように、停電後等に、入力設定装置の記憶部に記憶されていた販売情報を、主制御部の記憶部に複写し直すよう構成されている自動販売機においては、自動販売機の売上金を回収する係員などが、販売数が少なくて売上金の少ない自動販売機に装着されている入力設定装置を取り外し、販売数が多くて売上金が多い自動販売機の入力設定装置と交換して接続し直すことで、自動販売機の主制御部に記憶された販売数などの販売情報を意図的に低めに変更できて、その販売数の差に対応する売上金を個人的に取り込んでごまかすことが可能となってしまう。したがって、自動販売機の一時的な停電や各種の制御上のトラブルに対しては、信頼性を向上させることができるものの、販売数や売上金などの販売情報において不正を行う余地を残すものとなって、信頼性が低下する欠点がある。
【０００９】
本発明は上記課題を解決するもので、自動販売機の一時的な停電や各種の制御上のトラブルに対して、信頼性を向上させることができながら、不正な販売情報に書き換えられることを防止できる自動販売機を提供することを目的とするものである。
【課題を解決するための手段】
【００１０】
上記課題を解決するために本発明は、自動販売機全体を制御するとともに記憶部を有する主制御部と、表示部と複数の入力キーと記憶部とを有する入力設定装置とを備え、主制御部の記憶部と入力設定装置の記憶部とのそれぞれに、販売情報を格納する販売情報格納領域が設けられ、一方の記憶部に記憶された販売情報を他方の記憶部に複写してバックアップ可能に構成した自動販売機であって、個体判別用情報を生成するとともにこの個体判別用情報を主制御部の記憶部と入力設定装置の記憶部とに記憶させる個体判別用情報生成記憶手段と、主制御部の記憶部に格納された個体判別用情報と入力設定装置の記憶部に格納された個体判別用情報とが異なるかどうかを判定し、個体判別用情報が異なった場合に、一方の記憶部の販売情報を他方の記憶部へ複写することを禁止する判定制御手段とを有することを特徴とする。
【００１１】
この構成により、元々装着されていた入力設定装置とは異なる入力設定装置（いわゆる偽の入力設定装置）が自動販売機に装着された場合には、主制御部の記憶部に格納された個体判別用情報と入力設定装置の記憶部に格納された個体判別用情報とが異なるので、入力設定装置の記憶部の販売情報が主制御部の記憶部に複写されず、この結果、自動販売機の売上金を回収する係員などが自動販売機の主制御部の販売情報を意図的に変更することが不可能となり、売上金を個人的に取り込んでごまかすことができなくなる。
【００１２】
また、本発明は、主制御部と入力設定装置との個体判別用情報が異なっていた場合に、警告情報を出力するよう構成したことを特徴とする。
この構成により、互いの個体判別用情報が異なっている状態となった場合には、警告情報が出力されるため、自動販売機の管理者や製造メーカの者等がこの警告情報を受けて、異常状態であることを認識できて、この異常状態に良好に対処することが可能となる。
【００１３】
また、本発明は、自動販売機の電源がＯＦＦ状態からＯＮ状態に切り換えられた際に、入力設定装置の記憶部に格納した個体判別用情報と主制御部の記憶部に格納した個体判別用情報との両方が初期化状態であった場合に、個体判別用情報を新たに生成して、この個体判別用情報を、主制御部の記憶部と入力設定装置の記憶部とに記憶させることを特徴とする。
【００１４】
この構成により、自動販売機の組立時等に、個体判別用情報が自動的に主制御部の記憶部と入力設定装置の記憶部とに記憶されることになり、手間をかけることなく、容易に個体判別用情報を設定できる。また、外部の者が自動販売機を扱わない段階で、個体判別用情報を設定できるので、信頼性も良好である。
【００１５】
また、本発明の個体判別用情報を、現在時刻情報、または、自動販売機に設けられたマイクロコンピュータ内部のカウンタ情報に基づいてその少なくとも一部を作成することを特徴とする。
【００１６】
この構成により、特有の個体判別用情報を良好かつ簡単に生成することができる。
【発明の効果】
【００１７】
以上のように本発明によれば、入力設定装置および主制御部の、一方の記憶部に記憶された販売情報を他方の記憶部に複写してバックアップ可能に構成した自動販売機において、個体判別用情報を生成するとともにこの個体判別用情報を主制御部の記憶部と入力設定装置の記憶部とに記憶させ、主制御部の記憶部に格納された個体判別用情報と入力設定装置の記憶部に格納された個体判別用情報とが異なるかどうかを判定し、個体判別用情報が異なった場合に、一方の記憶部の販売情報を他方の記憶部へ複写することを禁止することにより、元々装着されていた入力設定装置とは異なる入力設定装置が自動販売機に装着された場合でも、自動販売機の売上金を回収する係員などが自動販売機の主制御部の販売情報を意図的に変更することが不可能となり、売上金を個人的に取り込んでごまかすことができなくなる。これにより、販売数や売上金などの販売情報においても不正を行うことが防止されて、良好な信頼性を維持することができる。
【００１８】
また、主制御部と入力設定装置との個体判別用情報が異なっている場合に、警告情報を出力するよう構成したことにより、互いの個体判別用情報が異なった場合には、警告情報が出力されるため、自動販売機の管理者や製造メーカの者等がこの警告情報を受けて、異常状態であることを認識して、この異常状態に良好に対処することができる。
【００１９】
また、自動販売機の電源がＯＦＦ状態からＯＮ状態に切り換えられた際に、入力設定装置の記憶部に格納した個体判別用情報と主制御部の記憶部に格納した個体判別用情報との両方が初期化状態であった場合に、個体判別用情報を新たに生成して、この個体判別用情報を、主制御部の記憶部と入力設定装置の記憶部とに記憶させることにより、手間をかけることなく、容易に個体判別用情報を設定でき、また、外部の者が自動販売機を扱わない段階で、個体判別用情報を設定できるので、信頼性も良好である。
【００２０】
また、個体判別用情報の少なくとも一部を、現在時刻情報、または、自動販売機の主制御部などに設けられたマイクロコンピュータ内部のカウンタ情報に基づいて作成することにより、特有の個体判別用情報を良好かつ簡単に生成することができる。
【発明を実施するための最良の形態】
【００２１】
以下、本発明の実施の形態にかかる自動販売機を図面に基づき説明する。なお、図１は本発明の実施の形態に係る自動販売機の簡略的な斜視図、図２は同自動販売機の簡略的なブロック図を示すものである。
【００２２】
図１に簡略的に示すように、自動販売機本体１に開閉自在に外扉２が設けられ、例えば、この外扉２の裏面に、入力設定装置（いわゆるキーボード装置）５が着脱自在に取り付けられている。入力設定装置５は、複数のキー（入力手段）３と液晶などの１つの表示部４とを備えており、前記複数のキー３および表示部４を用いて各種設定を行えるよう構成され、各種の設定情報などを記憶する記憶部６も設けられている。なお、図１における７は、商品が収納される断熱庫（いわゆる内箱）８の前面開口部を開閉する内扉である。
【００２３】
図２に簡略的に示すように、自動販売機には、自動販売機全体の制御を統括的に行う主制御部１０が設けられている。この主制御部１０にも記憶部１１が設けられ、記憶部１１には、販売商品数（販売数と略す）などの販売情報を含めた各種情報が記憶されている。
【００２４】
ところで、一時的な停電などがあった場合に、販売情報信号などが主制御部１０に入力される前に電源が落ちて、主制御部１０の記憶部１１に記憶した情報が不正確となることがある。また、主制御部１０は、自動販売機全体の極めて多種類の各種制御を行っているので、いろいろな原因によってトラブルを生じる可能性がある。このような不具合を防止すべく、一時的な停電などがあったり、主制御部１０においてトラブルを生じたりした場合でも、前記販売情報等が良好に保存されるよう、前記販売情報を入力設定装置５に設けられた記憶部６などにバックアップして保存するよう構成されている。
【００２５】
バックアップ用の記憶部として用いられる入力設定装置５の記憶部６は、通電しなくても（すなわち、停電等があっても）記憶情報が保持されるフラッシュメモリやＥＥＰＲＯＭなどの不揮発性メモリが用いられており、これにより、停電等があってもデータが良好に保持されるよう信頼性の向上を図っている。また、入力設定装置５は、入力設定機能および表示機能だけを備えていれば済むので、自動販売機において各種のトラブルを生じた場合でも、このトラブルにより悪影響を与えられる可能性が、主制御部１０よりも入力設定装置５の方が低くて、信頼性が高く、これらの要因から、販売情報を保持するバックアップ用の記憶部として入力設定装置５の記憶部６が用いられている。
【００２６】
そして、一時的な停電などがあった場合には、その後の再起動時（すなわち、電源がＯＦＦ状態からＯＮ状態に切り換わった際）に、入力設定装置５の記憶部６に記憶されていたバックアップ用の販売情報を、主制御部１０の記憶部１１に複写し直し、これにより、できるだけ正確な情報を主制御部１０の記憶部１１に保持するよう構成している。すなわち、入力設定装置５の記憶部６と主制御部１０の記憶部１１とのそれぞれに、販売商品数（販売数と略す）などを含んだ販売情報を格納する販売情報格納領域６ａ、１１ａが設けられ、各記憶部６、１１の販売情報格納領域６ａ、１１ａに販売数などの販売情報が格納される。なお、入力設定装置５は、製造時の組付作業において便利なように、コネクタ等を介して接続されて組み付けられている。
【００２７】
しかしながら、上記のように、停電後等に、入力設定装置５の記憶部６に記憶されていた販売情報を、主制御部１０の記憶部１１に複写し直すよう構成されている自動販売機においては、上記構成しか有しない場合には、自動販売機の売上金を回収するなどする係員が、販売数が少なくて売上金の少ない自動販売機に装着されている入力設定装置５を取り外し、販売数が多くて売上金が多い自動販売機の入力設定装置５と交換して接続し直すことで、自動販売機の主制御部１０に記憶された販売数などの販売情報を意図的に低めに変更し、その販売数の差に対応する売上金を個人的に取り込んでごまかすことが可能となってしまう。
【００２８】
これに対処するものとして、本発明の実施の形態に係る自動販売機においては、その自動販売機に特有の個体判別用情報を生成するとともにこの個体判別用情報を主制御部１０の記憶部１１と入力設定装置５の記憶部６とにそれぞれ記憶させる、個体判別用情報生成記憶手段と、主制御部１０の記憶部１１に格納された個体判別用情報（判別データと略す）と入力設定装置５の記憶部６に格納された判別データとが異なるかどうかを判定し、判別データが異なった判別データ相違状態となった場合に、入力設定装置５の記憶部６の販売情報を主制御部１０の記憶部１１へ複写することを禁止する判定制御手段とを有する構成とした。
【００２９】
ここで、本発明の特徴をより詳しく説明する。主制御部１０の記憶部１１と入力設定装置５の記憶部６とのそれぞれに、自動販売機に特有の判別データを格納する判別用情報格納領域１１ｂ、６ｂを設けている。そして、自動販売機の製造工程において、主制御部１０と入力設定装置５とを含む各部品が自動販売機に装着された状態で、自動販売機の電源がＯＦＦ状態からＯＮ状態に切り換えられた際（すなわち、起動時（リセット時を含む））に、入力設定装置５の記憶部６の判別用情報格納領域６ｂと主制御部１０の記憶部１１の判別用情報格納領域１１ｂとの両方に個体判別用情報が未だ格納されていない初期化状態（いわゆるクリア状態、例えば判別データが００００やＦＦＦＦの場合）には、例えば主制御部１０により、判別データを新たに生成して、この判別データを、主制御部１０の記憶部１１の判別用情報格納領域１１ｂと入力設定装置５の記憶部６の判別用情報格納領域６ｂとに記憶させる。
【００３０】
すなわち、図３のフローチャートで簡略的に示すように、自動販売機の電源がＯＦＦ状態からＯＮ状態に切り換えられた際に、主制御部１０は入力設定装置５に対して個体判別用情報を送信するように命令する（ステップＳ１）。これに対して、入力設定装置５は、その記憶部６の判別用情報格納領域６ｂに格納されている判別データを主制御部１０に対して送信（出力）する（ステップＳ２）。主制御部１０は、この入力設定装置５の判別データを受信（入力）するとともに、主制御部１０の記憶部１１の判別データを確認し、これら両方の判別データが前記クリア状態の信号でないかどうか（すなわち、クリア状態信号でない所定の値にセットされているかどうか）を判定し（ステップＳ３）、クリア状態の信号であった場合には、ステップＳ４に進んで、判別データを新たに生成して、この判別データを入力設定装置５に出力し、この入力設定装置５の記憶部６の判別用情報格納領域６ｂに記憶させるとともに、主制御部１０の記憶部１１の判別用情報格納領域１１ｂにも記憶させる。
【００３１】
ここで、上記ステップＳ４において、主制御部１０は、判別データを、現在時刻情報、または、主制御部１０などに設けられたマイクロコンピュータ内部のカウンタ情報に基づいて、各自動販売機でその値が異なる、識別番号等のようなユニークな番号を作成する。例えば、現在時刻である年、月、日時、分、秒のデータを組み合わせた番号や、自動販売機に設けられたマイクロコンピュータ、例えば主制御部１０に設けられたマイクロコンピュータ内部のカウンタ情報を個体判別用情報として得て、この個体判別用情報を、入力設定装置５に出力してその記憶部６の判別用情報格納領域６ｂに記憶させるとともに、主制御部１０の記憶部１１の判別用情報格納領域１１ｂにも記憶させる。
【００３２】
なお、この判別データは、自動販売機毎に値が異なり、この判別データを各記憶部６、１１に記憶させた際に、同じ自動販売機に装着されていることを認識できればどのようなデータでもかまわず、他の入力設定装置５や主制御部１０と区別できるものであれば差し支えない。また、上記のような、現在時刻情報やマイクロコンピュータ内部のカウンタ情報にさらに他の情報を加えて判別データを生成するようにしてもよく、また、現在時刻情報とマイクロコンピュータ内部のカウンタ情報とを組み合わせてもよい。また、この場合に、自動販売機の生産ラインでは、組み上げた後に最終的に入力設定装置５を用いるなどして、正確な現在時刻を入力しており、それまでは、現在時刻とは無関係の値が初期化値として入力されているので、この値を判別データとして用いることは適さない。したがって、現在時刻情報が、前記のような初期化された値のままである場合には、判別データとして生成したり記憶させたりする動作は行わず、正確な現在時刻が入力設定装置５を用いるなどして入力されたことを主制御部１０で検知してから、前記現在時刻に基づき、判別データを生成、記憶させることが望ましい。
【００３３】
そして、このようにして判別データが生成、記憶された後、当該自動販売機の電源がＯＦＦされ、当該自動販売機が次回に、起動されてＯＮ状態となった際には、入力設定装置５が交換されていない限り、主制御部１０の記憶部１１と入力設定装置５の記憶部６との両方に、同じ判別データが記憶されている。したがって、自動販売機の起動後、ステップＳ３に進んだ際に、入力設定装置５の記憶部６に記憶されている判別データがクリア状態の信号でないので、新たな判別データを生成することなくステップＳ５に進み、このステップＳ５で、入力設定装置５側より送信されてきた判別データが、主制御部１０の記憶部１１に記憶している判別データと一致しているかどうかを判定し、一致している場合には、この判別処理を終了して、通常の自動販売機全体の制御処理を進める。
【００３４】
一方、自動販売機の売上金を回収する係員などが、他の自動販売機に取り付けられていた入力設定装置５’を取り外して、この自動販売機に装着した場合には、この入力設定装置５’側より送信されてきた判別データが、主制御部１０の記憶部１１に記憶している判別データと一致しなくなるので、この場合においては、ステップＳ５において、判別データが異なることを判定、認識してステップＳ６に進み、入力設定装置５の表示部４、または、外扉２に設けられる投入料金表示部（図示せず）などにエラー表示（この場合に、管理者や製造メーカの者など、特定の人しか分からない番号をエラー表示に続けて故障番号として表示させることが好ましい）をして、入力設定装置５の記憶部６の販売情報を主制御部１０の記憶部１１へ複写することを禁止する。また、同時に、主制御部１０に、異なる入力設定装置５が接続されていることを警告する信号を出力（表示したり、通信回線等で接続されている場合には、通信回線等を介して通知する情報を出力したりする）し、例えば、通常の販売制御動作を行わないようにするとともに、自動販売機の管理者や製造メーカの者等への連絡を促す表示（通信回線等を介して通知する処理を行っていない場合）を行う。そして、管理者や製造メーカは、上記エラー表示の表示状態および故障番号から、例えば、異なる入力設定装置５が接続されていることを容易に認識でき、これに対応した処理が可能となる。
【００３５】
なお、自動販売機の管理者や製造メーカの者等は、係員などの者に知られていない非公開の操作やパスワード入力などを行って、前記エラー状態や警告状態を解除する処理を行い、自動販売機を通常状態に戻す。
【００３６】
上記構成により、元々装着されていた入力設定装置５とは異なる入力設定装置５’が自動販売機に装着された場合には、入力設定装置５の記憶部６の販売情報が主制御部１０の記憶部１１に複写されず、この結果、自動販売機の売上金を回収する係員などが自動販売機の主制御部１０の販売情報を意図的に変更することが不可能となり、売上金を個人的に取り込んでごまかすことができなくなる。これにより、販売数や売上金などの販売情報においても不正を行う余地がなくなり、良好な信頼性を維持することができる。
【００３７】
また、主制御部１０と入力設定装置５との判別データ（個体判別用情報）が異なっている場合に、警告情報を出力することにより、自動販売機の管理者や製造メーカの者等がこの警告情報を受けて、異常状態であることを認識して、この異常状態に良好に対処することが可能となる。
【００３８】
また、入力設定装置５の記憶部６および主制御部１０の記憶部１１に格納した判別データが初期化（クリア）状態であった場合に、判別データを新たに生成して、この判別データを、主制御部１０の記憶部１１と入力設定装置５の記憶部６とに記憶させることにより、自動販売機の組立時等に、判別データが自動的に主制御部１０と入力設定装置５とに記憶されることになり、手間をかけることなく、容易に判別データを設定できる。また、外部の者が自動販売機を扱わない段階で、判別データを設定できるので、信頼性も良好である。
【００３９】
また、上記構成によれば、判別データの少なくとも一部を、現在時刻情報、または、主制御部１０などに設けられたマイクロコンピュータ内部のカウンタ情報に基づいて作成するよう構成したので、特有の個体判別用情報を良好かつ簡単に生成することができる。
【００４０】
なお、上記の実施の形態においては、判別データを生成して、入力設定装置５の記憶部６および主制御部１０の記憶部１１に記憶させる条件として、入力設定装置５の記憶部６および主制御部１０の記憶部１１に記憶された判別データがクリア状態信号である場合を述べたが、これに限るものではなく、所定のキー入力操作（この場合には、自動販売機の管理者や製造メーカの者だけが知ることが可能で（いわゆる隠しコマンド）、料金を回収する係員などには知ることができないようにする必要がある）や、管理者や製造メーカの者が有する赤外線を出力可能なハンディターミナルを用いて、自動販売機に出力するオフライン操作によって、判別データの生成や記憶動作を行わせるようにしてもよい。
【００４１】
また、上記実施の形態では、接続されている入力設定装置５の真偽のチェック動作を、自動販売機がＯＮ状態に切り換えられた際（リセット時を含む）に行う場合を述べたが、これに限るものではなく、一定時間ごとに、上記チェック動作を行ってもよい。
【００４２】
また、上記実施の形態では、判別データ（個体判別用情報）を生成するとともにこの判別データを主制御部１０の記憶部１１と入力設定装置５の記憶部６とに記憶させる個体判別用情報生成記憶手段と、主制御部１０の記憶部１１に格納された判別データと入力設定装置５の記憶部６に格納された判別データとが異なるかどうかを判定し、判別データが異なった場合に、入力設定装置５の記憶部６の販売情報を主制御部１０の記憶部１１へ複写することを禁止する判定制御手段とが、主制御部１０に設けられてその機能を発揮する場合を述べたが、これに限るものではなく、これらの制御機能を発揮できれば他の箇所に設けてもよく、例えば、この制御機能を入力設定装置５側に設けてもよい。
【００４３】
また、上記実施の形態では、他の自動販売機に取り付けられていた入力設定装置５’を取り外して、チェック対象となる自動販売機に装着した場合を述べたが、これに限るものではなく、主制御部１０が交換されたかどうかも同様にチェックできる。つまり、入力設定装置５は元から装着されているにもかかわらず、主制御部１０’が、他の自動販売機用のものを取り外して装着された場合にも、判別データの値が異なるため、同様にエラー表示をしたり、警告出力をしたりして、販売動作を行わないように制御することが可能である。また、主制御部１０同士のコピー機能などを備えている場合に、他の主制御部１０’の販売情報を含めた情報をコピーした上で装着した場合でも同様に販売数や売上金額等をごまかすことを防止できる。
【００４４】
なお、入力設定装置５の記憶部６もしくは主制御部１０の記憶部１１の、どちらか一方の判別データだけ、初期化（クリア）状態であった場合には、故障により新品に交換されたものと推定して、判別データが在るものから、判別データがない（初期化（クリア）状態である）ものへ判別データを複写するように構成するとよい。
【図面の簡単な説明】
【００４５】
【図１】本発明の実施の形態に係る自動販売機の簡略的な斜視図である。
【図２】同自動販売機の簡略的なブロック図である。
【図３】同自動販売機の制御動作（チェック動作）を示すフローチャートである。
【符号の説明】
【００４６】
１      自動販売機本体
３      キー（入力手段）
４      表示部
５      入力設定装置（キーボード装置）
６      記憶部
１０    主制御部
１１    記憶部
【図１】
2009053776.tif 000003
【図２】
2009053776.tif 000004
【図３】
2009053776.tif 000005